(57)【要約】【課題】横葺きの金属屋根上に設置物を取り付けた構造、及びその取付方法において、屋根板の変形を防ぐと同時に、設置物を安定した状態に設置することを目的とする。【解決手段】野地板１２上に所定の間隔を隔てて屋根板１１が敷設された金属屋根１に対し、設置物２を取り付けるための設置物２の取付構造は、屋根板１１上に取り付けられ、設置物２を金属屋根上に固定する固定金具３と、固定金具３が取り付けられる屋根板１１の下面側に設置されるスペーサ４１、４２とを有する。固定金具３は、締結ネジ５１、５２により野地板１２に締結され、スペーサ４１、４２は、締結ネジ５１、５２による締め付けに抗して所定の間隔を保持する。【選択図】図２
2014043729.tif 000002
【特許請求の範囲】
【請求項１】
野地板上に所定の間隔を隔てて屋根板が敷設された屋根に対し、設置物を取り付けるための取付構造であって、
上記屋根板上に取り付けられ、上記設置物を上記屋根上に固定する固定金具と、
上記固定金具と上記野地板の間に設置されるスペーサと、を有し、
上記固定金具は、締結部材により、上記野地板に締結され、
上記スペーサは、上記固定金具と上記野地板に挟み込まれ、上記締結部材による締め付けに抗して、上記所定の間隔を保持する、
ことを特徴とする設置物の取付構造。
【請求項２】
上記屋根板は金属製からなり、上記屋根は金属屋根である、
請求項１記載の設置物の取付構造。
【請求項３】
上記野地板と上記屋根板の間に断熱材、を備える、
請求項１又は２記載の設置物の取付構造。
【請求項４】
上記断熱材には、上記スペーサが嵌合する嵌合孔が形成されている、
請求項３記載の設置物の取付構造。
【請求項５】
上記屋根板には、上記断熱材の嵌合孔に連通し、上記スペーサが貫通する貫通孔が形成されている、
請求項４記載の設置物の取付構造。
【請求項６】
上記嵌合孔内において、上記スペーサと上記断熱材の間にシーリング材がシーリングされている、
請求項４又は５記載の設置物の取付構造。
【請求項７】
上記固定金具は、締結部材により、上記屋根板及び上記野地板に締結され、
上記スペーサは、上記屋根板と上記野地板に挟み込まれる、
請求項１乃至４いずれかの項に記載の設置物の取付構造。
【請求項８】
上記スペーサは両端が開口した中空の略筒型形状からなり、当該中空部分によって構成される挿通孔に、上記締結部材が挿通されている、
請求項１乃至７いずれかの項に記載の設置物の取付構造。
【請求項９】
上記締結部材が挿通される上記スペーサの挿通孔に、シーリング材がシーリングされている、
請求項８記載の設置物の取付構造。
【請求項１０】
上記シーリング材は、シリコン樹脂又はブチル樹脂である、
請求項６又は９記載の設置物の取付構造。
【請求項１１】
上記野地板と上記屋根板とは、所定の角度をなしており、
上記スペーサには、上記所定の角度に応じたテーパーが形成されている、
請求項１乃至１０いずれかの項に記載の設置物の取付構造。
【請求項１２】
野地板上に断熱材を挟んで屋根板が敷設された屋根において、
上記屋根板上に取り付けられ、上記設置物を上記屋根上に固定する固定金具と、
上記固定金具と上記野地板の間に設置され、上記屋根板に形成された貫通孔を貫通して上記断熱材に形成された嵌合孔に嵌合されるスペーサと、により、設置物を取り付けるための取付方法であって、
上記スペーサを上記屋根板に形成された貫通孔に貫通させると共に、上記貫通孔から連通して上記断熱材に形成された嵌合孔に嵌合させる工程と、
上記貫通孔を貫通して上記嵌合孔に嵌合された上記スペーサ、及び屋根板の上面側に載置された固定金具を、締結部材により、上記野地板に締結する工程と、を有する、
ことを特徴とする設置物の取付方法。
【請求項１３】
上記屋根板は金属製からなり、上記屋根は金属屋根である、
請求項に記載の設置物の取付方法。
【請求項１４】
上記断熱材に形成された嵌合孔に、シーリング材を注入する工程、をさらに有する、
請求項１２又は１３記載の設置物の取付方法。
【請求項１５】
上記スペーサは両端が開口した中空の略筒型形状からなると共に、当該中空部分は、上記締結部材が挿通される挿通孔を構成し、
上記挿通孔にシーリング材をシーリングする工程、をさらに有する、
請求項１２乃至１４いずれかの項に記載の設置物の取付方法。
【発明の詳細な説明】
【技術分野】
【０００１】
本発明は、屋根に設置物を取り付けるための構造、及びその方法に関する。
【背景技術】
【０００２】
屋根上に太陽電池モジュール等の設置物を取り付けるためには、設置物を屋根に固定するための固定金具が使用される。より具体的には、屋根板上に固定金具を載置し、この固定金具に挿通させたネジ等の締結部材を、屋根板を貫通させて野地板にねじ込む。これにより固定金具と野地板が締結され、この固定金具上に設置物を固定することで、設置物が屋根に取り付けられる。
【０００３】
例えば、特許文献１では、横葺きの金属屋根上に太陽電池モジュールを取り付けるための構造であって、設置金具（本願の固定金具に相当）を金属屋根に締結ボルト（本願の締結部材に相当）で取り付けた上、この設置金具上に太陽電池モジュールを設置する構造が開示されている。
【先行技術文献】
【特許文献】
【０００４】
【特許文献１】特開２０１１−１１７２０４号公報
【発明の概要】
【発明が解決しようとする課題】
【０００５】
ここで、金属屋根には、上記特許文献１で示されているような、野地板上に屋根板が直接敷設された構造のもののほか、野地板と屋根板の間に断熱材を敷設した構造のものがある。上述のとおり、屋根板上に設置物を取り付ける場合には、固定金具に挿通させたネジ等の締結部材を、屋根板を貫通させて野地板にねじ込ませるが、野地板と屋根板の間に断熱材を敷設している場合には、締結ネジは断熱材を貫いて野地板にねじ込まれることになる。
【０００６】
しかしながら、発泡スチロールやウレタン系樹脂等、断熱材として一般的に用いられる各種の発泡体は加重に弱いため、締結ネジの締め付けによって押し潰されてしまい、これに伴って屋根板までもが凹む恐れがある。屋根板に凹みなどの変形を生じると、その凹みに雨水等が溜まって腐食の原因になったり、設置物の設置が不安定になって危険を生じたりする。一方、締結ネジの締め付けが弱いと、設置物の固定が不安定になり危険である。
【０００７】
そこで、本発明は、横葺きの金属屋根上に設置物を取り付けた構造、及びその取付方法において、屋根板の変形を防ぐと同時に、設置物を安定した状態に設置させることを目的とする。
【課題を解決するための手段】
【０００８】
上記目的を達成するため、本発明の一の観点に係る設置物の取付構造は、野地板上に所定の間隔を隔てて屋根板が敷設された屋根に対し、設置物を取り付けるための取付構造であって、上記屋根板上に取り付けられ、上記設置物を上記屋根上に固定する固定金具と、上記固定金具と上記野地板の間に設置されるスペーサと、を有し、上記固定金具は、締結部材により、上記野地板に締結され、上記スペーサは、上記固定金具と上記野地板に挟み込まれ、上記締結部材による締め付けに抗して、上記所定の間隔を保持することを特徴とする。
【０００９】
ここで、設置物とは、太陽電池や太陽熱温水器、あるいは看板など、広く屋根上に設置される装置や物をいう。
また、締結部材とは、ネジあるいはボルトはなど、複数の部材を一体的に締結することのできる部材をいう。
【００１０】
また、上記屋根板は金属製からなり、上記屋根は金属屋根であるものとしてもよい。
【００１１】
また、上記野地板と上記屋根板の間に断熱材、を備えるものとしてもよい。
【００１２】
また、上記断熱材には、上記スペーサが嵌合する嵌合孔が形成されているものとしてもよい。
【００１３】
上記屋根板には、上記断熱材の嵌合孔に連通し、上記スペーサが貫通する貫通孔が形成されているものとしてもよい。
【００１４】
また、上記嵌合孔内において、上記スペーサと上記断熱材の間にシーリング材がシーリングされているものとしてもよい。
【００１５】
上記固定金具は、締結部材により、上記屋根板及び上記野地板に締結され、上記スペーサは、上記屋根板と上記野地板に挟み込まれるものとしてもよい。
【００１６】
また、上記スペーサは両端が開口した中空の略筒型形状からなり、当該中空部分によって構成される挿通孔に、上記締結部材が挿通されているものとしてもよい。
【００１７】
また、上記締結部材が挿通される上記スペーサの挿通孔に、シーリング材がシーリングされているものとしてもよい。
【００１８】
また、上記シーリング材は、シリコン樹脂又はブチル樹脂であるものとしてもよい。
【００１９】
また、上記野地板と上記屋根板とは、所定の角度をなしており、上記スペーサには、上記所定の角度に応じたテーパーが形成されているものとしてもよい。
【００２０】
また、本発明の別の観点に係る設置物の取付方法は、野地板上に断熱材を挟んで屋根板が敷設された屋根において、上記屋根板上に取り付けられ、上記設置物を上記屋根上に固定する固定金具と、上記固定金具と上記野地板の間に設置され、上記屋根板に形成された貫通孔を貫通して上記断熱材に形成された嵌合孔に嵌合されるスペーサと、により、設置物を取り付けるための取付方法であって、上記スペーサを上記屋根板に形成された貫通孔に貫通させると共に、上記貫通孔から連通して上記断熱材に形成された嵌合孔に嵌合させる工程と、上記貫通孔を貫通して上記嵌合孔に嵌合された上記スペーサ、及び屋根板に上面側に載置された固定金具を、締結部材により、上記野地板に締結する工程と、を有することを特徴とする。
【００２１】
また、上記設置物の取付方法においても、上記屋根板は金属製からなり、上記屋根は金属屋根であるものとしてもよい。
【００２２】
また、上記断熱材に形成された嵌合孔に、シーリング材を注入する工程、をさらに有するものとしてもよい。
【００２３】
また、上記スペーサは両端が開口した中空の略筒型形状からなると共に、当該中空部分は、上記締結部材が挿通される挿通孔を構成し、上記挿通孔にシーリング材をシーリングする工程、をさらに有するものとしてもよい。
【発明の効果】
【００２４】
本発明によれば、締結部材による締め付けに抗して、スペーサが野地板と屋根板の間隔を一定に保持し、その結果、屋根板の変形を防ぐことができると共に、設置物が安定した状態に設置される。
【図面の簡単な説明】
【００２５】
【図１】本発明の実施形態に係る設置物の取付構造を示す外観斜視図である。
【図２】本発明の第一の実施形態に係る設置物の取付構造を示す側断面図である。
【図３】本実施形態に係る設置物の取付構造を示す分解斜視図である。
【図４】本実施形態に係る設置物の取付構造に用いられるスペーサを示す斜視図である。
【図５】本発明の第二の実施形態に係る設置物の取付構造を示す側断面図である。
【図６】本実施形態に係る設置物の取付構造に用いられるスペーサを示す斜視図である。
【図７】本発明の別の実施形態に係る設置物の取付構造に用いられるスペーサを示す斜視図である。
【発明を実施するための形態】
【００２６】
以下、本発明の実施形態に係る設置物の取付構造、及び取付方法について、図を参照して説明する。
図１に示されるように、本実施形態に係る設置物の取付構造は、棟側から軒側に向かって所定の勾配が形成され、複数の金属製の屋根板１１が梁方向に葺き上げられた横葺きの金属屋根１上に、太陽電池モジュールなどの設置物２を取り付けるための構造である。
【００２７】
この取付構造では、屋根板１１上に設置物２を固定するための固定金具３が取り付けられ、この固定金具３上に設置物２が設置される。
なお、設置物２は必ずしも、固定金具３上に直接取り付けられるわけではなく、適宜、架台２１等の部材を介して取り付けられる。以下において、設置物２といった場合には、架台２１のように、固定金具３に取り付けられる部品も含むものとする。
また、本実施形態においては、固定金具３上に長さ方向が縦方向（棟側から軒側に向かう方向）となるように架台２１を敷設した構造を例にとって説明するが、本発明はこれに限らず、架台２１を横方向（棟側から軒側に向かう方向とは垂直の方向）となるように敷設したものや、固定金具３上に設置物２を直接敷設する構造にも本発明は適用可能である。
【実施例１】
【００２８】
本発明の第一の実施形態に係る設置物の取付構造は、図２及び図３に示されるように、横葺きの金属屋根１に適用される。
ここで、横葺きの金属屋根１は、野地板１２上に所定の間隔を隔てて複数の金属製の屋根板１１が敷設され、この野地板１２と屋根板１１の間には断熱材１３が挟み込まれている。複数の屋根板１１は、梁方向棟側の屋根板１１の端部が、軒側に隣接する屋根板１１の端部に被さり、棟側から流れ落ちる雨水等の侵入を妨げる構造となっている。また、このように梁方向棟側の屋根板１１の端部が、軒側に隣接する屋根板１１の端部に被さる構造をとるため、各屋根板１１は野地板１２に対して所定の角度を形成し、各屋根板１１と野地板１２の間の距離は軒方向に沿って徐々に大きくなっている。
【００２９】
このような横葺きの金属屋根１に適用された本実施形態に係る設置物の取付構造では、屋根板１１の上面に、設置物２を固定するための固定金具３が取り付けられている。また、この固定金具３の下面側には、ネジ孔３１１ａ、３１２ａの近傍において、屋根板１１に形成された貫通孔１１１ａ、１１２ａを貫通すると共に、断熱材１３に形成された嵌合孔１３１ａ、１３２ａ内に嵌合して、スペーサ４１、４２が設置されている。
【００３０】
スペーサ４１、４２には夫々、締結ネジ５１、５２を挿通させるための挿通孔４１ａ、４２ａが設けられており、固定金具３のネジ孔３１１ａ、３１２ａから挿し通された締結ネジ５１、５２は、挿通孔４１ａ、４２ａを挿通し、野地板１２にねじ込まれる。これにより、固定金具３が野地板１２に締結されている。
【００３１】
屋根板１１には、断熱材１３の嵌合孔１３１ａ、１３２ａに嵌合するスペーサ４１、４２を貫通させるための貫通孔１１１ａ、１１２ａが形成されている。この貫通孔１１１ａ、１１２ａは、スペーサ４１、４２の形状に応じて断面円形状にくり抜いて設けられている。また、この貫通孔１１１ａ、１１２ａは、断熱材１３の嵌合孔１３１ａ、１３２ａに連通しており、嵌合孔１３１ａ、１３２ａと一体になって、スペーサ４１、４２が挿し込まれる連通孔を形成している。
【００３２】
各屋根板１１の下面側に敷き詰められる断熱材１３は、外部の熱を遮断する部材であって、スチレン系樹脂発泡体、プロピレン系樹脂発泡体、ウレタン系樹脂発泡体など、各種の合成樹脂発泡体などからなる。
【００３３】
この断熱材１３は、屋根板１１と野地板１２の間の距離、及び屋根板１１と野地板１２のなす角に応じた形状を有し、上面が屋根板１１に当接し、下面が野地板１２に当接している。
【００３４】
また、断熱材１３には、固定金具３のネジ孔３１１ａ、３１２ａ及び屋根板１１の貫通孔１１１ａ、１１２ａに対応する位置に、スペーサ４１、４２が嵌合する嵌合孔１３１ａ、１３２ａが形成されている。この嵌合孔１３１ａ、１３２ａは、スペーサ４１、４２の形状に応じて略円柱状に断熱材１３をくり抜いて設けられたもので、上面側から下面側へ貫通している。
【００３５】
固定金具３は、屋根板１１上に固定して取り付けられると共に、載置された設置物２を屋根板１１上に支持する金具である。
この固定金具３は、屋根板１１上に載置される基底部３１、基底部３１から立設した立設部３２、立設部３２の端部に設けられ、設置物２が載置される載置部３３からなる。
【００３６】
基底部３１には、固定金具３を屋根板１１及び野地板１２に締結するための締結ネジ５１、５２が挿通されるネジ孔３１１ａ、３１２ａが形成されている。
【００３７】
スペーサ４１、４２は、固定金具３の下面側に、固定金具３に当接して設置される部材であり、屋根板１１の貫通孔１１１ａ、１１２ａを貫通して、断熱材１３の嵌合孔１３１ａ、１３２ａに嵌合する共に、固定金具３と野地板１２に挟み込まれる。
このスペーサ４１、４２は、図４に示されるように、断熱材１３の嵌合孔１３１ａ、１３２ａの形状に即して、一端部にテーパー４１１、４２１が形成されると共に、両端が開口した中空の略筒型形状からなる。
【００３８】
本実施形態では、一つの固定金具３を二つのスペーサ４１、４２で支持する構造をとっており、スペーサ４１は、固定金具３を軒側において支持し、スペーサ４２は、固定金具３を棟側において支持する。
ここで、スペーサ４１、４２の長さは、屋根板１１上の固定金具３と野地板１２の間の距離に応じたものであるが、屋根板１１が野地板１２に対して所定の角度を有し、屋根板１１と野地板１２の間の距離が棟側から軒側に向かって徐々に広くなることから、スペーサ４１はスペーサ４２よりも長く構成されている。
【００３９】
スペーサ４１、４２に設けられている中空部は、締結ネジ５１、５２が挿通される挿通孔４１ａ、４２ａを構成する。また、テーパー４１１、４２１は、野地板１２が当接する側の端部に形成され、その角度は、屋根板１１と野地板１２のなす角に応じたものとなっている。
なお、本実施形態において、スペーサ４１、４２が備えるテーパー４１１、４２１を野地板１２と接する側に設けたが、固定金具３に接する側に設けてもよい。
【００４０】
また、スペーサ４１、４２は、アルミなど、耐腐食性を有するとともに、締結ネジ５１、５２による締め付けに抗するこのできる硬質の材料からなる。このような硬質の材料で構成されることにより、締結ネジ５１、５２によって固定金具３が野地板１２に締結された際、スペーサ４１、４２は、固定金具３を下面側から支持すると共に、締結ネジ５１、５２による締め付けに抗して固定金具３と野地板１２の間の距離を保持する。その結果、屋根材１１と野地板１２との間の距離を保持することとなり、屋根板１１の変形を抑制し、断熱材１３が押し潰されるのを防ぐ。
【００４１】
また、スペーサ４１、４２が屋根板１１の貫通孔１１１ａ、１１２ａを貫通し、断熱材１３の嵌合孔１３１ａ、１３２ａに嵌合された状態において、スペーサ４１、４２と断熱材１３の間、及びスペーサ４１、４２の挿通孔４１ａ、４２ａ内にはシーリング材が充填されている。なお、スペーサ４１、４２と屋根板１１の貫通孔１１１ａ、１１２ａとの間にもシーリング材が充填されていてもよい。
シーリング材は、シリコン樹脂やブチル樹脂などからなり、本実施形態に係る設置物の取付構造を形成する際に充填された後、硬化することによって雨水等が当該部分から侵入して雨漏り等を生じるのを防ぐ。
【００４２】
なお、スペーサ４１、４２に形成されている挿通孔４１ａ、４２ａの内周面には、締結ネジ５１、５２の外周面に形成されている雄ネジに対応した雌ネジが形成されていてもよい。
【００４３】
締結ネジ５１、５２は、外周面に雄ネジが形成された締結金具であり、より具体的にはタッピンネジなどによって構成される。
この締結ネジ５１、５２は、固定金具３のネジ孔３１１ａ、３１２ａに上面側から挿通され、スペーサ４の挿通孔４１ａ、４２ａに挿通されると共に、野地板１２にねじ込まれている。この締結ネジ５１、５２による締結によって、屋根板１１上に固定金具３が固定して取り付けられている。
【００４４】
続いて、以上の構成からなる設置物の取付構造を形成する方法について、図３を参照して説明する。
なお、本実施形態に係る設置物の取付構造が適用される金属屋根１は、当該取付構造が形成される前の状態では、野地板１２上に順次、断熱材１３と屋根板１１が敷設されているだけであり、この状態から本実施形態に係る設置物の取付構造を形成する工程を説明する。
【００４５】
まず、屋根板１１上から、屋根板１１に貫通孔１１１ａ、１１２ａを形成すると共に、この貫通孔１１１ａ、１１２ａから連通させて、断熱材１３に嵌合孔１３１ａ、１３２ａを形成する。なお、この貫通孔１１１ａ、１１２ａ及び嵌合孔１３１ａ、１３２ａは、後の工程で取り付けられる固定金具３のネジ孔３１１ａ、３１２ａに対応した位置に設けられる。
【００４６】
次に、嵌合孔１３１ａ、１３２ａに、シリコン樹脂やブチル樹脂などのシーリング材を予め充填しておき、スペーサ４１、４２を屋根板１１の貫通孔１１１ａ、１１２ａに貫通させ、そのまま嵌合孔１３１ａ、１３２ａに嵌合させる。スペーサ４１、４２を嵌合孔１３１ａ、１３２ａに嵌合させた際、シーリング材は、スペーサ４１、４２の外周面と断熱材１３の嵌合孔１３１ａ、１３２ａの内周面の間、スペーサ４１、４２の外周面と屋根板１１の貫通孔１１１ａ、１１２ａの内周面の間、及び、スペーサ４１、４２の挿通孔４１ａ、４２ａの内部に広がって隙間を埋め、硬化すると、当該部分から雨水等の水分が侵入するのを妨げる。
【００４７】
そして、固定金具３のネジ孔３１１ａ、３１２ａとスペーサ４１、４２の挿通孔４１ａ、４２ａの位置が対応するようにして、固定金具３をスペーサ４１、４２及び屋根板１１の上面に載置する。
【００４８】
最後に、締結ネジ５１、５２を、固定金具３のネジ孔３１１ａ、３１２ａに上面側から下面側へ挿通させると共に、のスペーサ４１、４２の挿通孔４１ａ、４２ａに挿通させた上、野地板１２にねじ込ませる。
これにより、固定金具３は、屋根板１１上に固定され、設置物２を固定金具３上に取り付けることで、設置物２が金属屋根１に設置される。
【００４９】
以上の本実施形態に係る設置物の取付構造、及び取付方法によれば、締結ネジ５１、５２による締結に抗して、スペーサ４１、４２が固定金具３と野地板１２の間の距離を保持し、その結果、屋根板１１と野地板１２の間の距離が保持される。そのため、断熱材１３が押し潰されず、当該部分において屋根板１１に凹みなどの変形が発生することがない。また、これにより、屋根板１１に雨水が溜まるなどして屋根板１１が腐食するのを防ぐことができるし、設置物２の固定を安定させることができる。さらに、スペーサ４１、４２と断熱材１３の間、及びスペーサ４１、４２の挿通孔４１ａ、４２ａの内部にはシーリング材が隙間なく充填されるため、雨漏り等を防ぐことができる。
【実施例２】
【００５０】
次に、本発明の第二の実施形態に係る設置物の取付構造について、図５を参照して説明する。
本実施形態に係る設置物の取付構造も、横葺きの金属屋根１に適用されるものであるが、固定金具３の下面側には、上述した第一の実施形態のスペーサ４１、４２とは異なるスペーサ６が設置される。
【００５１】
スペーサ６は、固定金具３の略中央部を下方から支持している。このスペーサ６には、固定金具３を野地板１２に締結する締結ネジ５１、５２が挿通されず、締結ネジ５１、５２は屋根板１１及び断熱材１３を貫通して野地板１２にねじ込まれている。
【００５２】
本実施形態における屋根板１１にも、断熱材１３の嵌合孔１３３ａに嵌合するスペーサ６を貫通させる貫通孔１１３ａが形成されるが、貫通孔１１３ａの形状は、スペーサ６の形状に応じてくり抜いた形状からなる。
また、本実施形態における断熱材１３にも、スペーサ６が嵌合する嵌合孔１３３ａが形成されるが、嵌合孔１３３ａの形状も、スペーサ６の形状に応じてくり抜いた形状からなる。
【００５３】
本実施形態におけるスペーサ６は、図６に示されるように、直方体の下面側に、屋根板１１と野地板１２のなす角に応じたテーパー６１を形成した形状かなる。このスペーサ６は、上面が固定金具３の下面に当接する面を構成し、下面が野地板１２に当接する面を構成する。
【００５４】
上述の第一の実施形態と同様、このスペーサ６と断熱材１３の間や、スペーサ６と屋根板１１の間にシーリング材が充填されており、雨水等による雨漏りが生じないようになっている。
【００５５】
本実施形態に係る設置物の取付構造を形成する工程では、まず、屋根板１１に貫通孔１１３ａを形成すると共に、この貫通孔１１３から連通させて、断熱材１３に嵌合孔１３３ａを形成する。
次に、嵌合孔１３３ａに、シリコン樹脂やブチル樹脂などのシーリング材を予め充填しておき、スペーサ６を屋根板１１の貫通孔１１３ａに貫通させ、そのまま嵌合孔１３３ａに嵌合させる。スペーサ６を嵌合孔１３３ａに嵌合させた際、シーリング材は、スペーサ６と断熱材１３の間、及びスペーサ６の外周面と屋根板１１の貫通孔１１３ａの内周面の間に広がって隙間を埋め、硬化することで雨水等の水分の侵入を妨げる。
【００５６】
そして、固定金具３をスペーサ６及び屋根板１１の上面に載置した上、締結ネジ５１、５２を固定金具３のネジ孔３１１ａ、３１２ａに上面側から下面側に挿通させると共に、屋根板１１及び断熱材１３を貫通させて、野地板１２にねじ込ませる。
これにより、固定金具３は、屋根板１１及び野地板１２に締結され、設置物２を固定金具３上に取り付けることで、設置物２が金属屋根１に設置される。
【００５７】
以上の本実施形態によってもやはり、締結ネジ５１、５２による締結に抗して、スペーサ６が固定金具３と野地板１２の間の距離を保持し、その結果、屋根板１１と野地板１２の間の距離を保持される。そのため、断熱材１３が押し潰されず、当該部分において屋根板１１に凹みなどの変形が発生することがない。また、これにより、屋根板１１に雨水が溜まるなどして屋根板１１が腐食するのを防ぐことができるし、設置物２の固定を安定させることができる。
【００５８】
なお、以上の実施形態では、屋根板１１と野地板１２の間に断熱材１３が敷設された金属屋根１を前提としたが、これに限らず、屋根板１１と野地板１２の間に一定の間隔が設けられつつも、断熱材１３等の部材を敷設していない金属屋根に対しても、本実施形態に係る設置物の取付構造、及び方法を適用することができる。
即ち、そのような金属屋根であっても、固定金具３の下面側にスペーサ４１、４２あるいはスペーサ６を取り付けることで、固定金具３と野地板の間の距離が保持され、その結果、屋根板１１と野地板１２の間の距離が保持される。そして、これにより、屋根板１１の変形を防いで、腐食を防止したり、設置物２の固定を安定させたりすることができる。
【００５９】
また、以上の実施形態において、固定金具３の形状は一例に過ぎず、屋根板１１上に取り付けられると共に、設置物２を固定して支持する構成を有する部材であれば、他の形状あるいは構造のものであってもよい。
【００６０】
また、以上の実施形態において、スペーサ４１、４２は、別個に独立した部材としたが、図７に示されるように、一体的に構成されたスペーサ７として構成することもできる。このスペーサ７は、締結ネジ５１、５２が挿通される挿通孔７１１ａ、７１２ａ、及び、屋根板１１と野地板１２のなす角に応じたテーパー７２を有し、固定金具３の載置部３１の下面側全体を支持する。
【００６１】
また、以上の実施形態においては、スペーサ４１、４２、６が、固定金具３に当接して、固定金具３を下面側から直接支持する構造としたが、屋根板１１を挟んで、固定金具３を下面側からスペーサ４１、４２、６で間接的に支持する構造とすることもできる。
このような構造においてスペーサ４１、４２を用いる場合、屋根板１１には、スペーサ４１、４２を貫通させる貫通孔１１１ａ、１１２ａは設けず、固定金具３のネジ孔３１１ａ、３１２ａに上面側から挿通させた締結ネジ５１、５２を、屋根板１１に貫通させると共に、スペーサ４１、４２の挿通孔４１ａ、４２ａに挿通させ、野地板１２にねじ込ませる。
また、このような構造においてスペーサ６を用いる場合、屋根板１１には、スペーサ６を貫通させる貫通孔１１３ａは設けず、固定金具３の略中央部分の下方において、屋根板１１と野地板１２によってスペーサ６を挟み込ませる。
このような構造によっても、固定金具３はスペーサ４１、４２、６により、下面側から屋根板１１を挟んで支持され、また、スペーサ４１、４２、６は、締結ネジ５１、５２による締結に抗して、屋根板１１と野地板１２の間の距離を保持する。その結果、屋根板１１に、凹みなどの変形が生じるのを防ぐことができる。
【００６２】
なお、上述した本発明に係る実施形態においては、屋根板が金属製となる金属屋根を例にとって説明したが、本発明はこれに限らず、屋根板が野地板から所定の間隔を設けられた屋根であれば適用可能であり、例えば、屋根板が金属製以外の素材により構成された屋根にも適用可能である。
【符号の説明】
【００６３】
１        金属屋根
１１      屋根板
１１１ａ  貫通孔
１１２ａ  貫通孔
１１３ａ  貫通孔
１２      野地板
１３      断熱材
１３１ａ  嵌合孔
１３２ａ  嵌合孔
１３３ａ  嵌合孔
２        設置物
２１      架台
３        固定金具
３１      基底部
３１１ａ  ネジ孔
３１２ａ  ネジ孔
３２      立設部
３３      載置部
４１      スペーサ
４１ａ    挿通孔
４１１    テーパー
４２      スペーサ
４２ａ    挿通孔
４２１    テーパー
５１      締結ネジ
５２      締結ネジ
６        スペーサ
６１      テーパー
７        スペーサ
７１１ａ  挿通孔
７１２ａ  挿通孔
７２      テーパー
【図１】
2014043729.tif 000003
【図２】
2014043729.tif 000004
【図３】
2014043729.tif 000005
【図４】
2014043729.tif 000006
【図５】
2014043729.tif 000007
【図６】
2014043729.tif 000008
【図７】
2014043729.tif 000009